(57)【要約】【課題】チップオフセットにずれが生じて正常な通信が不可能になるのを防止するＣＤＭＡ方式移動通信端末を提供する。【解決手段】アンテナ１１、無線部１２、合成部１５、データ処理部１６および制御部１８を備える。更に、無線部１２および合成部１５間には第１受信部１３、第２受信部１４および送信部１７を備える。第１受信部１３はチップオフセットを時間的に前に丸め込み、第２受信部１４はチップオフセットを時間的に後ろに丸め込む。【選択図】　　　　図１
2004112625.tif 000002
【特許請求の範囲】
【請求項１】
周波数間ハードハンドオーバー（ＨＨＯ）のための周波数切り替え後に、セル内共通に送信される共通チャネル（ＰＣＣＰＣＨ）およびユーザ固有の通信に使用される個別チャネル（ＤＰＣＨ）のタイミング時間差を示す複数の受信タイミングを使用して同時にデータ受信を行い、無線基地局とのタイミングずれを防止することを特徴とするＣＤＭＡ方式移動通信端末。
【請求項２】
通信中のセルから送信される共通チャネルおよびハンドオーバー先のセルから送信される共通チャネルのタイミング差から算出したハンドオーバー先の受信タイミングから、離散的な値を取り得る受信タイミングの小さい方の離散値と大きい方の離散値への丸め込み計算を行い、それぞれの受信タイミングを使用して同時にデータ受信を行うことを特徴とする請求項１に記載のＣＤＭＡ方式移動通信端末。
【請求項３】
前記複数の受信タイミングを使用して同時に受信したデータの相関判定を行い、相関が最も高い受信データに使用した受信タイミングを通信に使用することを特徴とする請求項１又は２に記載のＣＤＭＡ方式移動通信端末。
【請求項４】
前記複数の受信タイミングを使用して同時に受信したデータの相関判定を行い、相関が最も高い受信データに使用した受信タイミング以外の受信タイミングによる通信を停止することを特徴とする請求項１、２又は３に記載のＣＤＭＡ方式移動通信端末。
【請求項５】
無線基地局との無線信号の送受信を行うアンテナと、無線信号の変復調等を行う無線部と、受信データの逆拡散等を行う受信部と、送信データの拡散等を行う送信部と、前記受信および送信データの処理を行うデータ処理部と、前記各部の動作を制御する制御部とを含むＣＤＭＡ方式移動通信端末において、
前記受信部は、チップオフセットを時間的に前に丸め込む第１受信部およびチップオフセットを時間的に後ろに丸め込む第２受信部を備え、前記データ処理部の前段に前記第１および第２受信部からの受信データシンボルを合成する合成部を備えることを特徴とするＣＤＭＡ方式移動通信端末。
【請求項６】
前記第１および第２受信部は、それぞれ受信データの逆拡散、位相補正およびシンボルレートの受信データを生成するフィンガー部およびパイロットシンボルを使用して相関値を測定する相関測定部を含むことを特徴とする請求項５に記載のＣＤＭＡ方式移動通信端末。
【請求項７】
前記第１および第２受信部は、それぞれ前記フィンガー部を複数個備え且つ該複数のフィンガー部からのシンボルレートの受信データを合成する合成部を備えることを特徴とする請求項５又は６に記載のＣＤＭＡ方式移動通信端末。
【請求項８】
前記無線部からの受信データの逆拡散、位相補正および復調を行い、無線基地局からの共通チャネルのフレームタイミングを検出して前記制御部へ通知するセルサーチ部を備えることを特徴とする請求項５、６又は７に記載のＣＤＭＡ方式移動通信端末。
【発明の詳細な説明】
【０００１】
【発明の属する技術分野】
本発明は移動通信端末に関し、特にＣＤＭＡ（Ｃｏｄｅ　Ｄｉｖｉｓｉｏｎ　Ｍｕｌｔｉｐｌｅ　Ａｃｃｅｓｓ）方式により、スペクトラム拡散技術で同一周波数帯の信号を使用して複数の通信を同時に行うＣＤＭＡ方式移動通信端末に関する。
【０００２】
【従来の技術】
移動通信端末は、その利便性のために広く普及している。移動通信端末は、一般に上述したＣＤＭＡ方式を採用している。斯かる従来の移動通信端末又はＣＤＭＡ方式移動通信端末の一例として、例えば、ハンドオーバー時に移動局が基地局へとまり木チャネル受信タイミング時間差を報告する際に、時間差値を増減してから報告することにより、サイドダイバーシティ受信における受信タイミング調整用の遅延バッファの大きさを最小にしたまま最大のサイトダイバーシティ効果を得るようにした移動通信用端末装置がある（例えば、特許文献１参照）。
【０００３】
【特許文献１】
特開２００１−５４１６２号公報（第４−６頁、図１）
【０００４】
また、他の一般的な従来技術としては、特開２００１−２１１４７１号公報の「より効率的なハードハンドオーバーを使用したパケット交換移動無線遠隔通信システム」、特開２００２−１５２７９１号公報の「ＰＨＳハンドオーバー方法およびＰＨＳ端末装置」、特開平６−２２３６４号公報の「無線接続のハンドオーバー手順」および特許公報第２９４７２７９号公報の「スペクトラム拡散通信システム、及びスペクトラム拡散通信システムにおけるハンドオーバー方法」等がある。
【０００５】
ＣＤＭＡ方式移動通信端末において、通信時の受信タイミングとしてチップオフセットが規定されている。このチップオフセットについて、図５のタイミングチャートを参照して説明する。図５において、（ａ）は共通チャネルＰＣＣＰＣＨ（Ｐｒｉｍａｒｙ　Ｃｏｍｍｏｎ　Ｃｏｎｔｒｏｌ　Ｃｈａｎｎｅｌ）のＳＦＮ（Ｓｙｓｔｅｍ　Ｆｒａｍｅ　Ｎｕｍｂｅｒ）０〜ＳＦＮ２を示す。一方、（ｂ）は、個別チャネルＤＰＣＨ（Ｄｅｄｉｃａｔｅｄ　ＰｈｙｓｉｃａｌＣｈａｎｎｅｌ）のＣＦＮ（Ｃｏｎｎｅｃｔｉｏｎ　Ｆｒａｍｅ　Ｎｕｍｂｅｒ）０およびＣＦＮ１を示す。図５に示す如く、セル内共通に送信されるＰＣＣＰＣＨとユーザ固有の通信に利用するＤＰＣＨのタイミング時間差をチップ単位（１ｃｈｉｐ＝約２６０ｎＳ）で表したものである。ＣＤＭＡのチャネル間の直交性を保証するために２５６ｃｈｉｐｓ単位の離散的な値を取る。通信においては無線基地局（Ｎｏｄｅ−Ｂ）と移動通信端末で同じ値のチップオフセットを設定する必要がある。ところが、実際の通信においてチップオフセットがＮｏｄｅ−Ｂと移動通信端末の間でずれてしまうことがある。そのような場合には、通信が切断されてしまう。１例として、以下に示す周波数間ハードハンドオーバー（以下、ＨＨＯという）の場合がある。
【０００６】
周波数間ＨＨＯには２種類の方式がある。一方はＴｉｍｉｎｇ　Ｒｅ−Ｉｎｉｔｉａｌｉｚｅｄ　ＨＨＯである。周波数切り替え前後で移動通信端末の送受信タイミングが変更されるため、移動通信端末は、ネットワークからの指示に従って、周波数切り替え後の送受信タイミングを設定し直して通信を行う。他方は、Ｔｉｍｉｎｇ　Ｍａｉｎｔａｉｎｅｄ　ＨＨＯである。この場合には、周波数切り替え前後で移動通信端末の送受信タイミングは基本的には維持されるため、ネットワークから移動通信端末への送受信タイミングの通知は行われない。
【０００７】
次に、図６のタイミングチャートは、Ｔｉｍｉｎｇ　Ｍａｉｎｔａｉｎｅｄ　ＨＨＯの成功例を示す。図６において、（ａ）はＨＨＯ前を示し、（ｂ）はＨＨＯ後のＮｏｄｅ−Ｂ２および（ｃ）はＨＨＯ後のＭＳ（Ｍｏｂｉｌｅ　Ｓｔａｔｉｏｎ：移動局）を示す。尚、ＨＨＯにおいても、厳密には周波数切り替え前後で移動通信端末の受信タイミングは変更される（送信タイミングは維持される）。Ｗ−ＣＤＭＡ（Ｗｉｄｅｂａｎｄ−ＣＤＭＡ）方式移動通信においては、異なるＮｏｄｅ−Ｂは互いに非同期で動作している。そのため、Ｔｉｍｉｎｇ　Ｍａｉｎｔａｉｎｅｄ　ＨＨＯが、Ｎｏｄｅ−Ｂ間で行われる場合には、移動通信端末においてＮｏｄｅ−Ｂ間のタイミングずれを吸収する必要があるからである。
【０００８】
図６において、ＲＮＣ（Ｒａｄｉｏ　Ｎｅｔｗｏｒｋ　Ｃｏｎｔｒｏｌｌｅｒ）とは、Ｎｏｄｅ−Ｂを通して移動通信端末（ＭＳ）と通信を行いＮｏｄｅ−Ｂの送受信タイミング等を制御する装置である。周波数間ＨＨＯにおいて、移動通信端末は通信中（ＨＨＯ前）のＮｏｄｅ−ＢからのＰＣＣＰＣＨとＨＨＯ先（ＨＨＯ後）のＮｏｄｅ−ＢからのＰＣＣＰＣＨとのフレームタイミング差（Ｔｃｅｌｌ２−Ｔｃｅｌｌ１）を測定してＲＮＣへ報告する。ＲＮＣは、移動通信端末からのタイミング差の報告値に基づき、ＨＨＯ先のチップオフセットを計算してＨＨＯ先のＮｏｄｅ−Ｂへ通知する。図６の例では、上述したタイミング差（Ｔｃｅｌｌ２−Ｔｃｅｌｌ１）が−１２８ｃｈｉｐのため、ＲＮＣ→Ｎｏｄｅ−Ｂへのチップオフセットは１２８ｃｈｉｐｓを通知する。ＲＮＣからチップオフセットを受信したＮｏｄｅ−Ｂは、チップオフセットを２５６ｃｈｉｐの倍数の値に丸め込む。
【０００９】
具体的に説明すると、例えばＲＮＣから通知されるチップオフセットが０〜１２７ｃｈｉｐｓの場合には、０ｃｈｉｐへ丸め込み、１２８〜２５６ｃｈｉｐｓの場合には、２５６ｃｈｉｐｓへ丸め込む。これはＣＤＭＡの基本原理から２つのコード間（例えば他人が使用するコードと）の直交性を保つためには、２５６ｃｈｉｐｓ単位でタイミングをずらす必要があるからである。これに対して、移動通信端末は、ＲＮＣへ報告したタイミング差（Ｔｃｅｌｌ２−Ｔｃｅｌｌ１）を使用して、ＨＨＯ先のチップオフセットを計算するが、その際に、Ｎｏｄｅ−Ｂと同様にチップオフセットを２５６ｃｈｉｐの倍数の値に丸め込む。具体的には、例えばＲＮＣへ報告した（Ｔｃｅｌｌ２−Ｔｃｅｌｌ１）が０〜１２７ｃｈｉｐの場合には、０ｃｈｉｐへ丸め込み、１２８〜２５６ｃｈｉｐの場合には、２５６ｃｈｉｐへ丸め込む。図６に示す例では、Ｎｏｄｅ−Ｂと移動通信端末でＨＨＯ後のチップオフセットが同じなので、移動通信端末はＤＰＣＨによる通信を正常に行うことができる。
【００１０】
【発明が解決しようとする課題】
しかし、上述した従来技術によると、例えば移動通信端末からＲＮＣへのタイミング差の報告が短時間に頻発したようなとき、報告されるタイミング差が異なる場合が考えられる。そのような場合には、移動通信端末はどの時点に報告したタイミング差がＲＮＣで使用されるかを認識することが不可能である。そのため、ＲＮＣ（即ち、Ｎｏｄｅ−Ｂも）と移動通信端末の間でチップオフセットにずれが発生し、図７に示す如く、Ｎｏｄｅ−Ｂと移動通信端末間のＤＰＣＨフレームタイミングがずれてしまう可能性がある。
【００１１】
図７において、移動通信端末からＲＮＣへタイミング差（Ｔｃｅｌｌ２−Ｔｃｅｌｌ１）を−１２８ｃｈｉｐと報告（図７中には示していない）すると、ＲＮＣはＮｏｄｅ−Ｂへのチップオフセットを１２８ｃｈｉｐと通知する。Ｎｏｄｅ−Ｂは、チップオフセットを２５６ｃｈｉｐの倍数の値に丸め込み、１２８ｃｈｉｐ→２５６ｃｈｉｐとする。ところが、例えば移動通信端末がＲＮＣへタイミング差を−１２８ｃｈｉｐと報告した直後に　タイミング差を−１２７ｃｈｉｐと報告（図７に示す）した場合、移動通信端末はチップオフセットを１２７ｃｈｉｐ→０ｃｈｉｐに丸め込んでしまう。そこで、図７に示す如く、Ｎｏｄｅ−Ｂと移動通信端末の間でチップオフセットが異なる値になってしまうため、移動通信端末はＤＰＣＨによる通信を正常に行うことが不可能になる（即ち、ＨＨＯ失敗）。
【００１２】
【発明の目的】
本発明は、従来技術の上述した課題に鑑みなされたものであり、上述したチップオフセットによる通信不可能が生じるのを阻止するＣＤＭＡ方式移動通信端末を提供することを目的とする。
【００１３】
【課題を解決するための手段】
前述の課題を解決するため、本発明によるＣＤＭＡ方式移動通信端末は次のような特徴的な構成を採用している。
【００１４】
（１）周波数間ハードハンドオーバー（ＨＨＯ）のための周波数切り替え後に、セル内共通に送信される共通チャネル（ＰＣＣＰＣＨ）およびユーザ固有の通信に使用される個別チャネル（ＤＰＣＨ）のタイミング時間差を示す複数の受信タイミングを使用して同時にデータ受信を行い、無線基地局とのタイミングずれを防止するＣＤＭＡ方式移動通信端末。
【００１５】
（２）通信中のセルから送信される共通チャネルおよびハンドオーバー先のセルから送信される共通チャネルのタイミング差から算出したハンドオーバー先の受信タイミングから、離散的な値を取り得る受信タイミングの小さい方の離散値と大きい方の離散値への丸め込み計算を行い、それぞれの受信タイミングを使用して同時にデータ受信を行う上記（１）のＣＤＭＡ方式移動通信端末。
【００１６】
（３）前記複数の受信タイミングを使用して同時に受信したデータの相関判定を行い、相関が最も高い受信データに使用した受信タイミングを通信に使用する上記（１）又は（２）のＣＤＭＡ方式移動通信端末。
【００１７】
（４）前記複数の受信タイミングを使用して同時に受信したデータの相関判定を行い、相関が最も高い受信データに使用した受信タイミング以外の受信タイミングによる通信を停止する上記（１）、（２）又は（３）のＣＤＭＡ方式移動通信端末。
【００１８】
（５）無線基地局との無線信号の送受信を行うアンテナと、無線信号の変復調等を行う無線部と、受信データの逆拡散等を行う受信部と、送信データの拡散等を行う送信部と、前記受信および送信データの処理を行うデータ処理部と、前記各部の動作を制御する制御部とを含むＣＤＭＡ方式移動通信端末において、
前記受信部は、チップオフセットを時間的に前に丸め込む第１受信部およびチップオフセットを時間的に後ろに丸め込む第２受信部を備え、前記データ処理部の前段に前記第１および第２受信部からの受信データシンボルを合成する合成部を備えるＣＤＭＡ方式移動通信端末。
【００１９】
（６）前記第１および第２受信部は、それぞれ受信データの逆拡散、位相補正およびシンボルレートの受信データを生成するフィンガー部およびパイロットシンボルを使用して相関値を測定する相関測定部を含む上記（５）のＣＤＭＡ方式移動通信端末。
【００２０】
（７）前記第１および第２受信部は、それぞれ前記フィンガー部を複数個備え且つ該複数のフィンガー部からのシンボルレートの受信データを合成する合成部を備える上記（５）又は（６）のＣＤＭＡ方式移動通信端末。
【００２１】
（８）前記無線部からの受信データの逆拡散、位相補正および復調を行い、無線基地局からの共通チャネルのフレームタイミングを検出して前記制御部へ通知するセルサーチ部を備える上記（５）、（６）又は（７）のＣＤＭＡ方式移動通信端末。
【００２２】
【発明の実施の形態】
以下、本発明によるＣＤＭＡ方式移動通信端末の好適実施形態の構成および動作を、添付図面を参照して詳細に説明する。
【００２３】
先ず、図１は、本発明によるＣＤＭＡ方式移動通信端末の好適実施形態の構成を示すブロック図である。このＣＤＭＡ方式移動通信端末１０は、アンテナ１１、無線部１２、第１受信部１３、第２受信部１４、合成部１５、データ処理部１６、送信部１７、制御部１８およびセルサーチ部１９により構成される。第１受信部１３は、ｍ個（１以上）のフィンガー部１３１、合成部１３２および相関測定部１３３を含んでいる。また、第２受信部１４も、上述した第１受信部１３と同様構成であり、複数のフィンガー部１４１、合成部１４２および相関測定部１４３を含んでいる。
【００２４】
アンテナ１１は、図示しないＮｏｄｅ−Ｂ（無線基地局）からの無線信号を受信する。無線部１２は、アンテナ１１が受信した無線信号の周波数をダウンコンバート、データの直交復調およびＡ／Ｄ（アナログ／デジタル）変換等を行い、チップレートの受信データを、第１受信部１３および第２受信部１４に供給（出力）する。また、無線部１２は、送信部１７からのチップレートの送信データをＤ／Ａ（デジタル／アナログ）変換し、データの直交変調および周波数のアップコンバート等を行い、アンテナ１１を介して無線信号として送信する。
【００２５】
次に、第１受信部１３について説明する。フィンガー部１３１は、無線部１２からのチップレートの受信データの逆拡散および位相補正を行い、シンボルレートの受信データを合成して合成部１３２へ出力する。ＤＰＣＨ受信フレームタイミングを指定するチップオフセット、またその他の逆拡散コードやシンボルレート等のパラメータは、制御部１８から受け取る。合成部１３２は、フィンガー部１３１からのシンボルレートの受信データを合成し、パイロットシンボル（既知のデータパターン）を相関測定部１３３へ、またデータシンボルを合成部１５へ出力する。受信データのフォーマット（シンボルレート、パイロットシンボル数、データシンボル数等）の合成するフィンガー情報は、制御部１８から受け取る。尚、フィンガー部１３１の数ｍが１の場合には、合成部１３２は不要である。合成部１３２は、相関値測定を行うためにフィンガー部１３１を１個しか使用しない場合にも不要である。相関測定部１３３は、合成部１３２からのパイロットシンボルを使用して相関値行い、その測定結果を制御部１８へ報告する。ここで、相関値測定部１３３による相関値の測定時間は、制御部１８により設定される時間であり、任意に設定可能であるが、最低でもＤＰＣＨの１シンボル時間（ＣＤＭＡで拡散される単位時間）は必要である。
【００２６】
次に、第２受信部１４について説明する。ここで、フィンガー部１４１は、ｍ＋１〜ｎを有し、無線部１２からのチップレートの受信データを逆拡散および位相補正し、合成部１４２へ出力する。ＤＰＣＨ受信フレームタイミングを指定するチップオフセット、またその他の逆拡散コードのシンボルレート等のパラメータは、制御部１８から受け取る。合成部１４２は、フィンガー部１４１からのシンボルレートの受信データを合成し、パイロットシンボル（既知のデータパターン）を相関測定部１４３へ、データシンボルを合成部１５へ出力する。尚、受信データのフォーマット（シンボルレート、パイロットシンボル数およびデータシンボル数等）および合成するフィンガー情報は、制御部１８から受け取る。また、相関測定を高速に行うためにフィンガー部１４１を１個のみ使用する場合には、合成部１４２は不要である。相関測定部１４３は、合成部１４２からのパイロットシンボルを使用して相関値を測定し、測定結果を制御部１８へ報告する。相関測定部１４３の測定時間は、制御部１８により設定される時間で、任意に設定可能であるが、最低でもＤＰＣＨの１シンボル時間（ＣＤＭＡで拡散される単位時間）は必要である。
【００２７】
合成部１５は、第１受信部１３の合成部１３２および第２受信部１４の合成部１４２からの受信シンボルを合成し、データ処理装置１６に対して出力する。尚、受信信号ＳＩＲの測定やＴＰＣによる送信電力制御等の機能を有するが、これらは本発明と直接関係しないので省略する。データ処理部１６は、合成部１５からの受信データシンボルの処理を行う。受信した制御データ（レイヤー３メッセージ等）を制御部１８へ出力する。また、送信データを送信部１７へ出力する。更に、送信する制御データ（レイヤー３メッセージ等）を制御部１８から受け取り、ユーザデータの送受信の処理も行う。
【００２８】
一方、送信部１７は、データ処理部１６からの送信データのエラー訂正符号化、物理チャネルへのマッピング、拡散等を行い、無線部１２に出力する。制御部１８は、ＣＤＭＡ方式移動端末１０の上述した各部の動作を制御する。即ち、制御部１８は、第１受信部１３および第２受信部１４にＤＰＣＨ受信フレームタイミングを指定するチップオフセット、またその他の拡散コード、シンボルレート、パイロットシンボル数、合成するフィンガー情報等のパラメータを設定する。ＨＨＯ時には、通信中（ＨＨＯ前）のＤＰＣＨ受信フレームタイミングを指定するチップオフセットと、セルサーチ部１９からの通信中（ＨＨＯ前）のＮｏｄｅ−ＢのＰＣＣＰＣＨフレームタイミングとＨＨＯ先（ＨＨＯ後）のＮｏｄｅ−ＢのＰＣＣＰＣＨフレームタイミングのタイミング差から、ＨＨＯ先（ＨＨＯ後）のＤＰＣＨ受信フレームタイミングを指定するチップオフセットを計算する。即ち、
ＨＨＯ後チップオフセット＝
ＨＨＯ前チップオフセット−ＰＣＣＰＣＨフレームタイミング差
セルセンサー部１９は、無線部１２からの受信データの逆拡散、位相補正、復調を行い、Ｎｏｄｅ−ＢからＰＣＣＰＣＨフレームタイミングを検出して制御部１８へ通知する。
【００２９】
次に、図１に示す構成を有する本発明によるＣＤＭＡ方式移動通信端末１０の特徴的な動作を、図２〜図４を参照して説明する。先ず、図２は、本発明による周波数間Ｔｉｍｉｎｇ　Ｍａｉｎｔａｉｎｅｄ　ＨＨＯの動作シーケンスを示すシーケンス図である。ＣＤＭＡ方式移動通信端末１０は、Ｎｏｄｅ−Ｂ１（ＨＨＯ前）との通信中（ステップＳ１）に、Ｎｏｄｅ−Ｂ１のＰＣＣＰＣＨフレームタイミングとＨＨＯ先のＮｏｄｅ−Ｂ２（ＨＨＯ後）のＰＣＣＰＣＨフレームタイミングのタイミング差を測定し（ステップＳ２）、ＲＮＣへ報告する（ステップＳ３）。ＲＮＣは、Ｎｏｄｅ−Ｂ１からＮｏｄｅ−Ｂ２へのＨＨＯを行う場合に、Ｎｏｄｅ−Ｂ１、Ｎｏｄｅ−Ｂ２、移動通信端末のそれぞれにその旨を通知する。このとき、ＨＨＯにより移動通信端末の送信タイミングが変わらないように、移動通信端末から通知されたタイミング差を元にＮｏｄｅ−Ｂ２へチップオフセットを通知する（ステップＳ４）。
【００３０】
尚、ＨＨＯを行うか否かは、ＲＮＣが移動通信端末から報告される受信レベル等の情報から判断するが、本発明に直接関係しないため、説明を省略する。Ｎｏｄｅ−Ｂ２は、ＲＮＣから通知されたチップオフセットを２５６ｃｈｉｐの倍数の値に丸め込み（ステップＳ５）、ＤＰＣＨの送信を開始する（ステップＳ６）。一方、ＨＨＯの指示を受けた移動通信端末は、一旦送信を停止し周波数の切り替え動作（Ｎｏｄｅ−Ｂ１→Ｎｏｄｅ−Ｂ２）に入る（ステップＳ７）。このとき、移動通信端末の送信タイミングが変わらないように、Ｎｏｄｅ−Ｂ２用のチップオフセットを計算し、２５６ｃｈｉｐの倍数の値に丸め込む（ステップＳ８）。
【００３１】
本発明によるＣＤＭＡ方式移動通信端末１０にあっては、上述の如く、受信部を第１受信部１３および第２受信部１４に２分割している。第１受信部１３は、チップオフセットを時間的に前に丸め込み（第１チップオフセット）（ステップＳ８−１）、第２受信部１４は、チップオフセットを時間的に後ろに丸め込む（第２チップオフセット）（ステップＳ８−２）。例えば、従来ではＲＮＣへ報告したＰＣＣＰＣＨのタイミング差が０〜１２７ｃｈｉｐの場合には０ｃｈｉｐへ丸め込み、１２８〜２５６ｃｈｉｐｓの場合には２５６ｃｈｉｐへ丸め込んでいた。しかし、本発明のＣＤＭＡ方式移動通信端末１０では、タイミング差が１２７ｃｈｉｐの場合でも、第１受信部１３の第１チップオフセットを１２７ｃｈｉｐ→０ｃｈｉｐ、第２受信部１４の第２チップオフセットを１２７ｃｈｉｐ→２５６ｃｈｉｐに丸め込んで、それぞれＤＰＣＨの受信を行う。
【００３２】
第１受信部１３および第２受信部１４において、予め決められたある時間だけＤＰＣＨの受信を行い、それぞれ相関測定部１３３、１４３により相関値を測定する。ここで、測定時間は任意に設定可能とするが、最低でもＤＰＣＨの１シンボル時間（ＣＤＭＡで拡散される単位時間）は必要である。相関値を測定した結果、相関値の大きい方の受信部１３又は１４に使用したチップオフセットを選択し、以降は全ての受信部１３、１４で選択したチップオフセットを使用してＤＰＣＨの受信を行う（ステップＳ９〜Ｓ１２）。その後、ＤＰＣＨの同期が確立され（ステップＳ１３）、ＤＰＣＨの送信を開始し（ステップＳ１４）、Ｎｏｄｅ−Ｂ２との通信を開始する、即ちＨＨＯ完了する（ステップＳ１５））。ＤＰＣＨの相関値の測定および同期確立判定については、ＤＰＣＨの中のパイロットシンボル（既知のデータパターン）を使用して行うが、本発明に直接関係ないため、説明を省略する。
【００３３】
次に、図３は、本発明による周波数間Ｔｉｍｉｎｇ　Ｍａｉｎｔａｉｎｅｄ　ＨＨＯの動作例を示す。図３の例は、ＣＤＭＡ方式移動通信端末からＲＮＣへ報告されるＰＣＣＰＣＨフレームタイミング差（Ｔｃｅｌｌ２−Ｔｃｅｌｌ１）が−１２８ｃｈｉｐ→−１２７ｃｈｉｐと連続した場合である。ＲＮＣは、ＨＨＯ起動時にＮｏｄｅ−Ｂ２へチップオフセットを１２８ｃｈｉｐと通知し、Ｎｏｄｅ−Ｂ２は１２８ｃｈｉｐ→２５６ｃｈｉｐへ丸め込み、ＤＰＣＨの送信を開始する。これに対して、移動通信端末はハードハンドオーバー起動時に内部的にチップオフセットを１２７ｃｈｉｐと認識するが、第１受信部１３の第１チップオフセットを１２７ｃｈｉｐ→０ｃｈｉｐへ、第２受信部１４の第２チップオフセットを１２７ｃｈｉｐ→２５６ｃｈｉｐへと丸め込み、ＤＰＣＨの受信を開始する。その結果、第１受信部１３は、Ｎｏｄｅ−Ｂ２とチップオフセットが異なるため相関値が低く、第２受信部１４はＮｏｄｅ−Ｂ２とチップオフセットが同じであるため相関値が高くなる。移動通信端末は両者を比較した結果、全ての受信部１３、１４のチップオフセットを２５６ｃｈｉｐとして通信を継続する。
【００３４】
次に、図４は、ＨＨＯ後チップオフセットの計算例を示す。図４では説明の簡略化のために２５６ｃｈｉｐの倍数値としているが、本来は端数を２５６ｃｈｉｐの倍数値に丸め込む。上述の如く、ＨＨＯ後チップオフセットを２５６ｃｈｉｐの倍数の値に丸め込むが（図３参照）、時間的に前に丸め込んだ第１チップオフセットを第１受信部１３へ、時間的に後ろに丸め込んだ第２チップオフセットを第２受信部１４へ設定する。例えば、
ＨＨＯ後チップオフセット＝１２７ｃｈｉｐの場合、
第１チップオフセット＝１２７ｃｈｉｐ→０ｃｈｉｐ
第２チップオフセット＝１２７ｃｈｉｐ→２５６ｃｈｉｐ
【００３５】
相関測定部１３３および相関測定部１４３へ相関測定時間を設定する。この相関測定時間は、任意に設定可能とするが、最低でもＤＰＣＨの１シンボル時間（ＣＤＭＡで拡散される単位時間）は必要である。相関測定部１３３および相関測定部１４３のそれぞれから相関測定結果を受けて、両者を比較して相関の大きい方の受信部１３又は１４に使用したチップオフセットを選択し、全ての受信部に対して選択したチップオフセットを設定する。
【００３６】
合成部１５において、第１受信部１３および第２受信部１４からの受信データシンボルを合成するか、合成せずに何れか一方の受信データシンボルを選択するか又は何れも選択しないかを設定することができる。データ処理部１６との間で、制御データ（レイヤー３メッセージ等）のやり取りを行う。第１送信部１３に対して、チャネル設定用パラメータ（拡散コードや送信ユーザデータのシンボルレート等）、符号化用のパラメータ等を設定する。尚、セルサーチ部１９は、無線部１２からの受信データの逆拡散、位相補正および復調を行い、Ｎｏｄｅ−ＢからのＰＣＣＰＣＨフレームタイミングを検出し、制御部１８へ通知する。ＨＨＯに先立って、通信中（ＨＨＯ前）のＮｏｄｅ−ＢのＰＣＣＰＣＨフレームタイミングおよびＨＨＯ先（ＨＨＯ後）のＮｏｄｅ−ＢのＰＣＣＰＣＨフレームタイミングのタイミング差を測定し、制御部１８へ通知する。
【００３７】
以上、本発明によるＣＤＭＡ方式移動通信端末の好適実施形態の構成および動作を詳述した。しかし、斯かる実施形態は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【００３８】
【発明の効果】
以上の説明から理解される如く、本発明のＣＤＭＡ方式移動通信端末によると、次の如き実用上の顕著な効果が得られる。即ち、ＣＤＭＡ方式移動通信端末において、Ｎｏｄｅ−Ｂと移動通信端末の間で受信タイミングがずれて通信が切断してしまうことを防止可能である。その理由としては、ＣＤＭＡ方式移動通信端末に１以上のフィンガー部と相関測定部を持つ複数の受信部を設け、離散的な値を取り得る複数の受信タイミングを計算し、それぞれの受信タイミングを使用して同時にデータ受信および相関判定を行う。そして、相関が最も高い受信データに使用した受信タイミングを通信に使用することにより、無線基地局とのタイミングずれを防止できるからである。
【図面の簡単な説明】
【図１】本発明によるＣＤＭＡ方式移動通信端末の好適実施形態の構成を示すブロック図である。
【図２】本発明における周波数間ＨＨＯの動作シーケンス図である。
【図３】本発明におけるＴｉｍｉｎｇ　Ｍａｉｎｔａｉｎｅｄ　ＨＨＯの１例のタイミングチャートである。
【図４】本発明におけるＨＨＯ先のＤＰＣＨチップオフセット計算の説明図である。
【図５】一般的なＣＤＭＡ方式移動通信端末におけるチップオフセットの説明図である。
【図６】ＣＤＭＡ方式移動通信端末におけるＴｉｍｉｎｇ　Ｍａｉｎｔａｉｎｅｄ　ＨＨＯの成功例の説明図である。
【図７】ＣＤＭＡ方式移動通信端末におけるＴｉｍｉｎｇ　Ｍａｉｎｔａｉｎｅｄ　ＨＨＯの失敗例の説明図である。
【符号の説明】
１０　ＣＤＭＡ方式移動通信端末
１１　アンテナ
１２　無線部
１３　第１受信部
１４　第２受信部
１５　合成部
１６　データ処理部
１７　送信部
１８　制御部
１９　セルサーチ部
１３１、１４１　フィンガー部
１３２、１４２　合成部
１３３、１４３　相関測定部
【図１】
2004112625.tif 000003
【図２】
2004112625.tif 000004
【図３】
2004112625.tif 000005
【図４】
2004112625.tif 000006
【図５】
2004112625.tif 000007
【図６】
2004112625.tif 000008
【図７】
2004112625.tif 000009